(57)【要約】  本発明は、インサート（２）、パルセータアンロック装置（４）及びパルセータロック装置（５）を含み、前記インサート（２）は、前記パルセータロック装置（５）と一体に設けられ、前記インサート（２）は、前記パルセータロック装置（５）によって出力軸（１）にロックされるように設置され、前記パルセータアンロック装置（４）は、前記パルセータ（３）に穿設され、前記パルセータアンロック装置（４）を押圧して前記パルセータロック装置（５）に作用することで、前記インサート（２）と前記出力軸（１）との間のロックを解除可能であるパルセータ（３）及び洗濯機に関する。本発明に係るパルセータは、容易に着脱可能であり、作業者が容易に洗浄できる。【選択図】図１
2019524363.tif 000002
【特許請求の範囲】
【請求項１】
インサート（２）、パルセータアンロック装置（４）及びパルセータロック装置（５）を含むパルセータであって、
前記インサート（２）は、前記パルセータロック装置（５）と一体に設けられ、
前記インサート（２）は、前記パルセータロック装置（５）によって出力軸（１）にロックされるように設置され、
前記パルセータアンロック装置（４）は、前記パルセータ（３）に穿設され、前記パルセータアンロック装置（４）を押圧して前記パルセータロック装置（５）に作用することで、前記インサート（２）と前記出力軸（１）との間のロックを解除可能である、
パルセータ。
【請求項２】
前記パルセータロック装置（５）は、前記インサート（２）の下端に固着され、スリーブ状をなすロックベース（５１）を含み、前記ロックベース（５１）の外側には、前記ロックベース（５１）に沿って摺動可能であるロックカバー（５２）が嵌設され、前記ロックベース（５１）と前記ロックカバー（５２）との間にボール（５４）及びロックカバー復帰機構（５５）が設けられ、前記ボール（５４）は、前記パルセータロック装置（５）と協同して前記パルセータ（３）と前記出力軸（１）とをロック可能であるように設置され、前記ロックカバー復帰機構（５５）は、前記ロックカバー（５２）を復帰させるように設置されている、
請求項１に記載のパルセータ。
【請求項３】
前記ロックベース（５１）の内壁でいくつかの球形穴（５３）が周方向に設けられ、
前記ボール（５４）は、前記球形穴（５３）内に転動可能に設置されている、
請求項２に記載のパルセータ。
【請求項４】
前記出力軸（１）の外壁で前記ボール（５４）に対応する位置に周方向に設置された凹溝（１１）が開設され、
前記凹溝（１１）は、前記ボール（５４）と前記パルセータロック装置（５）と協同して前記パルセータ（３）と前記出力軸（１）とをロックさせるように設置されている、
請求項３に記載のパルセータ。
【請求項５】
前記ロックカバー（５２）は、円筒状構造をなし、
前記ロックカバー（５２）の前記パルセータアンロック装置（４）に近接する一端の外壁は、前記ロックカバー（５２）の軸心から離反する方向に沿って、第１のフランジ（５２１）が周方向に延在し、
前記ロックカバー（５２）のパルセータアンロック装置（４）から離れる一端の内壁は、前記ロックカバー（５２）の軸心に指向する方向に沿って、第２のフランジ（５２２）が周方向に延在し、
前記パルセータアンロック装置（４）は、第１のフランジ（５２１）の上方に位置し、
前記ロックベース（５１）の前記インサート（２）に連結されていない一端は、前記第２のフランジ（５２２）上に位置する、
請求項４に記載のパルセータ。
【請求項６】
前記パルセータアンロック装置（４）は、
前記パルセータ（３）の中心に位置するボタン（４１）と、
前記ボタン（４１）に連結され且つパルセータ（３）を貫通して設置された、前記第１のフランジ（５２１）に接触可能である少なくとも１つの押しアーム（４２）と、を含む、
請求項５に記載のパルセータ。
【請求項７】
前記ボタン（４１）と前記パルセータ（３）との間に第２のばね（４３）が設けられている、
請求項６に記載のパルセータ。
【請求項８】
前記ボタン（４１）の中心に連結ロッド（４１１）が設けられ、
前記第２のばね（４３）は、前記連結ロッド（４１１）上に嵌設されている、
請求項７に記載のパルセータ。
【請求項９】
前記パルセータ（３）にボタン溝（３１）が設けられ、
前記ボタン（４１）は、前記ボタン溝（３１）内に位置し、
前記押しアーム（４２）は、前記ボタン溝（３１）を貫通して設置されている、
請求項８に記載のパルセータ。
【請求項１０】
前記パルセータ（３）は、インサート（２）の底部に設置された第１のばね（６）を更に含み、
前記第１のばね（６）は、前記パルセータ（３）と前記出力軸（１）とのロックが解除されると、前記パルセータ（３）と前記出力軸（１）とを分離させるように設置されている、
請求項１に記載のパルセータ。
【請求項１１】
請求項１〜１０のいずれか一項に記載のパルセータを含む、洗濯機。
【発明の詳細な説明】
【技術分野】
【０００１】
本発明は、洗濯機に関連する技術分野に関し、例えば、パルセータ及び洗濯機に関する。
【背景技術】
【０００２】
関連技術における洗濯機は、一定時間使用した後、通常パルセータの下面、内槽及び外槽の壁に埃やバクテリアが付着して洗浄し難い。長期間洗浄しないと、交差感染や皮膚病などの病気を引き起こす恐れがある。関連技術において、上記各部材の洗浄は、通常各部材を取り外して洗浄することを採用する。しかし、洗濯機のパルセータと駆動部材の出力軸とは、ボルトで固定連結されているため、パルセータの着脱が面倒であり、パルセータの洗浄に不利である。
【発明の概要】
【発明が解決しようとする課題】
【０００３】
本発明は、関連技術における洗濯機に存在したパルセータを取り外しにくい問題を解決するためのパルセータを提供する。
【０００４】
本発明は、上記パルセータを含む洗濯機を更に提供する。
【課題を解決するための手段】
【０００５】
本発明は、インサート、パルセータアンロック装置及びパルセータロック装置を含むパルセータを提供しており、前記インサートは、前記パルセータロック装置と一体に設けられ、前記インサートは、前記パルセータロック装置によって出力軸にロックされるように設置され、前記パルセータアンロック装置は、前記パルセータに穿設され、前記パルセータアンロック装置を押圧して前記パルセータロック装置に作用することで、前記インサートと前記出力軸との間のロックを解除可能である。
【０００６】
好ましくは、前記パルセータロック装置は、前記インサートの下端に固着され、スリーブ状をなすロックベースを含み、前記ロックベースの外側には、前記ロックベースに沿って摺動可能であるロックカバーが嵌設され、前記ロックベースと前記ロックカバーとの間にボール及びロックカバー復帰機構が設けられ、前記ボールは、前記パルセータロック装置と協同して前記パルセータと前記出力軸とをロック可能であるように設置され、前記ロックカバー復帰機構は、前記ロックカバーを復帰させるように設置されている。
【０００７】
好ましくは、前記ロックベース内壁でいくつかの球形穴が周方向に設けられ、前記ボールは、前記球形穴内に転動可能に設置されている。
【０００８】
好ましくは、前記出力軸の外壁で前記ボールに対応する位置に周方向に設置された凹溝が開設され、前記凹溝は、前記ボールと前記パルセータロック装置と協同して前記パルセータと前記出力軸とをロックさせるように設置されている。
【０００９】
好ましくは、前記ロックカバーは、円筒状構造をなし、前記ロックカバーの前記パルセータアンロック装置に近接する一端の外壁は、前記ロックカバーの軸心から離反する方向に沿って、第１のフランジが周方向に延在し、前記ロックカバーのパルセータアンロック装置から離れる一端の内壁は、前記ロックカバーの軸心に指向する方向に沿って、第２のフランジが周方向に延在し、前記パルセータアンロック装置は、第１のフランジの上方に位置し、前記ロックベースの前記インサートに連結されていない一端は、前記第２のフランジ上に位置する。
【００１０】
好ましくは、前記パルセータアンロック装置は、前記パルセータの中心に位置するボタンと、前記ボタンに連結され且つパルセータを貫通して設置された、前記第１のフランジに接触可能である少なくとも１つの押しアームとを含む。
【００１１】
好ましくは、前記ボタンと前記パルセータとの間に第２のばねが設けられている。
【００１２】
好ましくは、前記ボタンの中心に連結ロッドが設けられ、前記第２のばねは、前記連結ロッド上に嵌設されている。
【００１３】
好ましくは、前記パルセータにボタン溝が設けられ、前記ボタンは、前記ボタン溝内に位置し、前記押しアームは、前記ボタン溝を貫通して設置されている。
【００１４】
好ましくは、前記パルセータは、インサートの底部に設置された第１のばねを更に含み、前記第１のばねは、前記パルセータと前記出力軸とのロックが解除されると、前記パルセータと前記出力軸とを分離させるように設置されている。
【００１５】
本発明は、上記のいずれか１つのパルセータを含む洗濯機を更に提供する。
【発明の効果】
【００１６】
本発明に係るパルセータ及び洗濯機は、パルセータを取り外す際に、パルセータアンロック装置を押し下げることで、パルセータと洗濯機の出力軸とのロックを解除可能であるため、パルセータを取り外し可能である。パルセータを取り付ける際に、パルセータを押し下げれば、パルセータロック装置によってパルセータと出力軸とをロック可能である。本発明に係るパルセータは、容易に着脱可能であり、作業者が容易に洗浄できる。
【図面の簡単な説明】
【００１７】
【図１】本実施例におけるパルセータと出力軸との間の連結構造模式図
【図２】本実施例におけるパルセータのパルセータアンロック装置の構造模式図
【図３】本実施例における図１のＩ箇所の拡大模式図
【図４】本実施例におけるパルセータロック装置のロックカバーの構造模式図
【発明を実施するための形態】
【００１８】
本発明は、パルセータを提供しており、図１に示すように、当該パルセータは、ライニングであるインサート２、パルセータアンロック装置４及びパルセータロック装置５を含み、パルセータ３は、インサート２によって洗濯機の出力軸１に取り付けられている。
【００１９】
インサート２のパルセータ３から離れる一端は、第３のフランジ２１が周方向外側に延在し、上記パルセータ３は、インサート２の外側に嵌設され、且つ一端が第３のフランジ２１に当接され、第３のフランジ２１によってパルセータ３が支持される。本実施例において、上記出力軸１とインサート２の底部との間に一定のスペースを有する。
【００２０】
パルセータアンロック装置４は、パルセータ３を貫通して設置され、且つパルセータ３に対して上下に往復移動可能であり、図１に参照し、パルセータ３にボタン溝３１が設けられ、上記パルセータアンロック装置４の一部は、ボタン溝３１内に位置する。
【００２１】
図２に示すように、上記パルセータアンロック装置４は、パルセータ３の上面の中心に位置するボタン４１を含み、当該ボタン４１は、上記ボタン溝３１内に位置し、且つボタン４１のパルセータ３に近接する一側の中間位置で連結ロッド４１１が立設され、連結ロッド４１１上に第２のばね４３が嵌設され、当該第２のばね４３は、ボタン４１とボタン溝３１との間に位置し、当該第２のばね４３によって、ボタン４１を支持可能であり、且つボタン４１が押圧された後に、ボタン４１を復帰させることができる。本実施例において、上記ボタン４１の縦断面は、弧形構造をなしている。好ましくは、本実施例における上記パルセータアンロック装置４は、パルセータ３が回転する際に、パルセータ３とともに回転するが、軸方向に移動しない。ストッパを用いて実現可能である。
【００２２】
上記ボタン４１には、ボタン溝３１を貫通して設置された、パルセータロック装置５に接触可能である少なくとも１つの押しアーム４２が固定連結されている。当該押しアーム４２は、ボタン４１と一体に設けられ、即ち、固定連結され、パルセータ３を貫通して設置されている。本実施例において、好ましくは、押しアーム４２を筒状に設置する。好ましくは、上記押しアーム４２は、ロッド状である。
【００２３】
他の実施例として、当該ボタン４１は、ボタン溝３１に可動的に連結され、押しアーム４２と別体に設けられ、同様に、ボタン４１によってパルセータロック装置５をプッシュすることを実現可能である。
【００２４】
図１及び図３を参照し、上記パルセータロック装置５は、インサート２の下端に固着され、且つスリーブ状をなすロックベース５１を含み、ロックベース５１の外側には、ロックベース５１に沿って摺動するロックカバー５２が嵌設され、ロックベース５１とロックカバー５２との間には、ロックカバー５２の摺動を復帰させるためのロックカバー復帰機構５５が設けられている。上記パルセータアンロック装置４の押しアーム４２は、ロックカバー５２の上方に位置し、ボタン４１を押圧する際に、押しアーム４２がロックカバー５２を下向きにプッシュし、ボタン４１を解放すると、ロックカバー５２がロックカバー復帰機構５５によって初期状態に復帰可能である。上記ロックカバー復帰機構５５は、復帰ばねであってもよく、当該ロックカバー５２は、復帰ばねにより復帰可能であり、ロックカバー５２が押しアーム４２により押圧されると、復帰ばねが引っ張られ、ボタン４１を解放すると、ロックカバー５２が復帰ばねにより引き戻して復帰される。
【００２５】
好ましくは、図４に示すように、上記ロックカバー５２は、円筒状構造をなし、ロックカバー５２のパルセータアンロック装置４に近接する一端の外壁は、その軸心から離反する方向に沿って、第１のフランジ５２１が周方向に延在し、ロックカバー５２のパルセータアンロック装置４から離れる一端の内壁は、ロックカバー５２の軸心に指向する方向に沿って、第２のフランジ５２２が周方向に延在し、上記パルセータアンロック装置４の押しアーム４２は、第１のフランジ５２１の上方に位置し、押しアーム４２がロックカバー５２をプッシュすると、ロックベース５１に対して摺動するようにロックカバー５２全体をプッシュする。上記ロックベース５１のインサート２に連結されていない一端は、第２のフランジ５２２上に位置し、且つ第２のフランジ５２２により支持される。
【００２６】
ロックベース５１の内壁でいくつかの球形穴５３が周方向に設けられ、球形穴５３内にボール５４が転動可能に設置され、当該ボール５４は、パルセータ３と出力軸１とをロックさせるために、ロックベース５１とロックカバー５２との間に位置する。上記ボール５４の直径は、上記球形穴５３の直径よりも大きく、即ち、上記ボール５４は、球形穴５３内に移動又は回転可能であるが、球形穴５３から離脱できない。
【００２７】
図１及び図３を参照し、上記出力軸１の外壁でボール５４に対応する位置に周方向に設置された凹溝１１が開設され、ボール５４の一部は、凹溝１１内に位置し、パルセータ３と出力軸１とをロックさせる。ボタン４１が押圧されていない場合、上記ロックカバー５２の内壁は、ボール５４を押し出すとともに、ボール５４を凹溝１１に押させ、ロックベース５１とロックベース５１に固着されたインサート２とを出力軸１にロックさせ、つまり、パルセータ３を出力軸１にロックさせる。
【００２８】
本実施例において、好ましくは、上記パルセータ３は、ロック解除補助装置を更に含み、当該ロック解除補助装置は、インサート２の底部と出力軸１との間に設置された第１のばね６であり、当該第１のばね６は、インサート２の底部又は出力軸１上に固着されている。本実施例において、パルセータ３が出力軸１上に取り付けられた後に、第１のばね６は、圧縮状態にある。ボタン４１を押し下げる際に、押しアーム４２は、ロックカバー５２を下向きにプッシュし、ボール５４が凹溝１１から離脱し、パルセータ３と出力軸１とのロックが解除され、パルセータ３は、第１のばね６により跳ね上げられ、出力軸１から分離し、この時、パルセータ３の取り外しが完了した。
【００２９】
本実施例における上記パルセータ３が取り外される際に、まず、作業者は、ボタン４１を押圧して、押しアーム４２を、ロックカバー５２の上端面がボール５４を下方に乗り越えるまでにパルセータロック装置５のロックカバー５２を押し下げるように連動し、この時、ボール５４が出力軸１の凹溝１１から離脱し、パルセータロック装置５は、パルセータ３と出力軸１とのロック状態を解除し、インサート２の底部と出力軸１との間に第１のばね６が設けられたため、当該第１のばね６が跳ね上げられ、パルセータ３を出力軸１から離脱させ、パルセータ全体の取り外しが完了した。
【００３０】
パルセータ３を取り付ける必要がある際に、まずは、パルセータ３をインサート２に嵌装し、その後にパルセータ３を押圧し、パルセータ３がそれに連結されたパルセータロック装置５を下方に移動させるように連動し、パルセータロック装置５のボール５４が、出力軸１の凹溝１１内に押し込まれ、パルセータ３と出力軸１とをロックさせ、パルセータ３全体の取り付けが完了した。
【００３１】
本発明は、上記パルセータを含む洗濯機を更に提供しており、上記パルセータにより、作業者がパルセータを迅速に着脱可能であり、パルセータが容易に着脱可能である。
【産業上の利用可能性】
【００３２】
本発明に係るパルセータは、取り外す際に、パルセータアンロック装置を押し下げれば、パルセータと洗濯機の出力軸とのロックを解除可能であり、その後、パルセータ全体を取り外し可能であり、パルセータを取り付ける際に、パルセータを押し下げれば、パルセータロック装置によってパルセータと出力軸とをロック可能であり、パルセータが容易に着脱可能である。
【符号の説明】
【００３３】
１  出力軸
２  インサート
３  パルセータ
４  パルセータアンロック装置
５  パルセータロック装置
６  第１のばね
１１  凹溝
２１  第３のフランジ
３１  ボタン溝
４１  ボタン
４１１  連結ロッド
４２  押しアーム
４３  第２のばね
５１  ロックベース
５２  ロックカバー
５２１  第１のフランジ
５２２  第２のフランジ
５３  球形穴
５４  ボール
５５  ロックカバー復帰機構
【図１】
2019524363.tif 000003
【図２】
2019524363.tif 000004
【図３】
2019524363.tif 000005
【図４】
2019524363.tif 000006
【国際調査報告】
2019524363.tif 000007
2019524363.tif 000008
2019524363.tif 000009
2019524363.tif 000010